(57)【特許請求の範囲】
【請求項１】
販売者サーバから通信ネットワークを通じて購入者の通信端末機に商品選択画面をダウンロードさせて閲覧表示させ、該通信ネットワークを介して購入者通信端末機の操作を受け付けて商品取引を行う電子商取引システムにおいて、
上記販売者サーバには、上記通信ネットワークを介して、店舗の通信端末機が接続自在とされており、
上記販売者サーバは、
上記店舗の通信端末機の画面操作にもとづいて、複数の行、列を有し、行、列のそれぞれに商品の２つの属性を記して、それらの２つの属性の組み合わせで特定される桝目を２次元マトリクス状に配列し、それぞれの桝目に販売価格を表示した商品桝目一覧表を含んだ商品選択画面を生成し、保存する購入者向け画面生成手段と、
上記店舗の通信端末機の画面操作にもとづいて、上記商品桝目一覧表ごとの設定項目として、少なくとも、上記桝目に表示すべき販売価格情報を、販売期間とともに、少なくとも１つの商品桝目一覧表に対応させて商品桝目一覧表ごとに一括に商品プロファイルに設定する商品プロファイル設定手段と、
上記購入者端末機から商品選択画面のダウンロード要求を受け付けたときには、上記商品プロファイルを参照し、現在日時に対応した販売価格を組み込ませた商品桝目一覧表を含めた商品選択画面を購入者の通信端末機にダウンロードさせる画面提供手段とを備えたことを特徴とする、電子商取引システム。
【請求項２】
請求項１において、
上記商品プロファイル設定手段は、設定項目として、少なくとも、上記商品桝目一覧表に表示されるすべての商品に共通の割引期間と割引率とを設定できるようにしている、電子商取引システム。
【請求項３】
請求項２において、
上記商品選択画面は、少なくとも１階層以上の商品カテゴリ選択画面の最下層の下に設けられており、
上記購入者向け画面生成手段は、上記商品カテゴリ選択画面を生成する機能をさらに有するとともに、上記商品プロファイル設定手段は、上記入力設定画面を使用して、上記商品カテゴリ選択画面ごとに、その画面に含まれるすべての商品カテゴリに関連付けられるすべての商品桝目一覧表について商品桝目一覧表ごとに、一律の割引期間と割引率とを設定できるようにしている、電子商取引システム。
【発明の詳細な説明】
【技術分野】
【０００１】
本発明は、購入者通信端末機に通信ネットワークを介して提供する、商品カテゴリ選択画面や、２次元マトリクスの桝目状の商品桝目一覧表を有した商品選択画面の生成と、その画面に表示する商品の種々の情報の登録とを行える商品登録機能を有した電子商取引システムに関するものである。
【背景技術】
【０００２】
近時のインターネットを利用した電子商取引システムには、販売する複数の商品を商品カテゴリに区分し、それらの商品カテゴリを配列した商品カテゴリ選択画面を購入者の通信端末機に表示させ、その画面でいずれかの商品カテゴリが選択されたときには、その商品カテゴリに対応した複数の関連商品を一覧表に示した商品選択画面を表示させて、購入者に商品を選択させるようにした構成のものがある。たとえば特許文献１には、２階層以上の商品カテゴリ選択画面を有したシステムが記載されている。
【０００３】
また、電子商取引システムには、実店舗の店頭の商品陳列棚に相当する商品選択画面の商品表示レイアウトの設計および商品情報の登録・変更と、商品カテゴリ選択画面のカテゴリ表示レイアウトの設計および商品カテゴリ情報の登録・変更とを、画面ごとに自由に行えるバックオフィスシステムを併設しているものがある。特に、複数の店舗が販売者として加盟している電子モールシステムでは、汎用的なツールで構成されたバックオフィスシステムが準備されていることが一般的である。
【０００４】
一方、従来の電子商取引システムでは、実店舗でも一般に実施されているバーゲンと同様に、一定の期間、値引き価格の商品を提供できるようにしたものがある。たとえば、特許文献２には、商品コード、価格、適用するバーゲンＮｏなどよりなる商品情報と、バーゲンＮｏ、値引き期間、値引き率・額などよりなるバーゲン情報とを個別に登録しておき、商品ごとに、バーゲン情報をバーゲンＮｏより関連付けて値引き販売を行うようにしたシステムが開示されている。
【０００５】
このシステムによれば、バーゲン情報を商品情報とは別に管理し、商品とバーゲン情報とをバーゲンＮｏで紐付けするようにしているため、商品情報の中に詳細なバーゲン情報を含める必要がなく、そのため商品情報が複雑にならず、バーゲン情報の共有化も図れ、またバーゲン情報の変更やバーゲン期間の終了などで商品情報を更新する必要がなく、メンテナンス性は高い。
【特許文献１】特開２００７−２９３５７５号公報
【特許文献２】特開２００７−４７４８号公報
【発明の開示】
【発明が解決しようとする課題】
【０００６】
しかしながら、この種のバーゲン機能は、商品情報とバーゲン情報とを別々に登録できるという利点があるものの、商品情報の登録、変更時に、バーゲンＮｏとバーゲンの実体情報との関連付けを書類などで確認しながらバーゲンＮｏを入力しなければならず、設定作業が面倒となるおそれがある。また両情報の登録、変更タイミングがずれることで、バーゲンＮｏによる関連付けがうまくいかず、誤った価格でバーゲン販売をしてしまうおそれもあり、販売者にとって信頼性の高いシステムとは、決していえない。
【０００７】
また、上述したような階層的な商品カテゴリで分類された商品を販売するシステムでは、同一商品カテゴリ内の商品で共通のバーゲンを行うことが想定されるが、そのようなシステムに、特許文献２に開示されたバーゲン機能を採用すれば、バーゲンＮｏだけの入力とはいえ、同一商品カテゴリ内のすべての商品について個別に入力する必要があり、きわめて面倒なものとなる可能性がある。
【０００８】
したがって、特許文献２に示されたバーゲン設定技術は、通信ネットワークを利用した通常の電子商取引システムにおいて実用化できるものとはいえない。
【０００９】
本発明は、このような事情を考慮して提案されたもので、その目的は、販売する商品に対するバーゲン情報の設定において、販売者にとって信頼性が高く、かつ操作性のよい電子商取引システムを提供することにある。
【課題を解決するための手段】
【００１０】
上記目的を達成するために、請求項１に記載の電子商取引システムは、販売者サーバから通信ネットワークを通じて購入者の通信端末機に商品選択画面をダウンロードさせて閲覧表示させ、該通信ネットワークを介して購入者通信端末機の操作を受け付けて商品取引を行う電子商取引システムにおいて、販売者サーバには、上記通信ネットワークを介して、店舗の通信端末機が接続自在とされており、販売者サーバは、店舗の通信端末機の画面操作にもとづいて、複数の行、列を有し、行、列のそれぞれに商品の２つの属性を記して、それらの２つの属性の組み合わせで特定される桝目を２次元マトリクス状に配列し、それぞれの桝目に販売価格を表示した商品桝目一覧表を含んだ商品選択画面を生成し、保存する購入者向け画面生成手段と、店舗の通信端末機の画面操作にもとづいて、商品桝目一覧表ごとの設定項目として、少なくとも、桝目に表示すべき販売価格情報を、販売期間とともに、少なくとも１つの商品桝目一覧表に対応させて商品桝目一覧表ごとに一括に商品プロファイルに設定する商品プロファイル設定手段と、購入者通信端末機から商品選択画面のダウンロード要求を受け付けたときには、商品プロファイルを参照し、現在日時に対応した販売価格を組み込ませた商品桝目一覧表を含めた商品選択画面を購入者の通信端末機にダウンロードさせる画面提供手段とを備えたことを特徴とする。
【００１１】
ここで、販売価格情報は、複数の商品を含む商品桝目一覧表ごとに設定するものであるため、たとえば設定の対象がバーゲンであれば、割引率や割引額などがこれに含まれる。もちろん、販売価格そのものでもよい。
【００１２】
請求項２では、商品プロファイル設定手段は、設定項目として、少なくとも、商品桝目一覧表に表示されるすべての商品に共通の割引期間と割引率とを設定できるようにしている。
【００１３】
請求項３では、商品選択画面は、少なくとも１階層以上の商品カテゴリ選択画面の最下層の下に設けられており、購入者向け画面生成手段は、商品カテゴリ選択画面を生成する機能をさらに有するとともに、商品プロファイル設定手段は、入力設定画面を使用して、商品カテゴリ選択画面ごとに、その画面に含まれるすべての商品カテゴリに関連付けられるすべての商品桝目一覧表について商品桝目一覧表ごとに、一律の割引期間と割引率とを設定できるようにしている。
【発明の効果】
【００１４】
請求項１〜３に記載の本発明によれば、購入者に表示すべき商品選択画面の商品桝目一覧表ごとに、同一の販売価格情報と販売期間を設定できる構成であるため、たとえばバーゲンなど、一覧表単位で一律の設定をしたい場合には、商品桝目一覧表に配列させる複数の商品のすべてについて、同時にそれらの情報を登録でき、そのため販売者のデータ登録の手間が軽減できる。また、販売価格情報と販売期間の入力設定画面を備えれば、画面上で、商品選択画面を生成しながら、同時に入力設定画面による設定操作を行うことで、割引率と割引期間の設定を商品の登録と並行して行える。
【００１５】
請求項２に記載の本発明によれば、商品プロファイル設定手段の設定項目として、商品選択画面の商品桝目一覧表に共通する割引率と割引期間をもうけているため、販売者は商品選択画面ごとにバーゲン情報を設定できる。そのため、取り扱う商品が多数ある場合にも、商品と割引率、割引期間との関連付けを確認しながら設定できるため、誤設定の可能性は低く、信頼性は非常に高い。
【００１６】
さらに、割引期間に時刻指定を行えるようにすれば、簡易な操作であるため、緊急のタイムサービスにも迅速に使用できる。
【００１７】
請求項３に記載の本発明によれば、階層構造の商品カテゴリで商品を分類しているものにおいて、特定の商品カテゴリ選択画面を生成する際に、その特定の商品カテゴリ選択画面に配置するすべての商品カテゴリに属するすべての商品について、同一の販売価格情報と販売期間を設定できるので、さらに下位の商品カテゴリを含むカテゴリ単位の一括のバーゲン設定が可能となる。
【００１８】
また、商品カテゴリ単位に設定できるため、階層ごとの設定も可能となり、そのため特定の商品カテゴリにいったん設定した後、その特定の商品カテゴリの下位の商品カテゴリについて、異なるバーゲン情報を設定することもできる。商品カテゴリ単位にバーゲンを行う場合に、きわめて便利である。
【発明を実施するための最良の形態】
【００１９】
以下に、本発明を実施するための最良の形態について、添付図面を参照しながら説明する。
【００２０】
図１は、本発明の実施形態の一例である電子商取引システムのシステム構成図である。
【００２１】
同電子商取引システム１は、インターネットなどの通信ネットワーク５を介して、販売者サーバ２と、パソコンなどの購入者側で使用される購入者通信端末機３、３・・・とを双方向通信可能に接続してなり、購入者側ユーザが通信端末機３を操作して販売者サーバ２をアクセスし、購入者のブラウザ操作に応じて、その通信端末機３に種々の画面の画面情報６をダウンロードし、商品の選択や発注ができるようにしたものである。
【００２２】
なお、この電子商取引システム１は、複数の企業、商店など（以下、店舗という。）が寄せ集まって販売者を構成する電子モールシステム、または特定の企業を販売者とした電子販売システムのいずれにも適用が可能であるが、本例では電子モールシステムに適用したものを示しており、図示するように、商品情報を登録したり、購入者向け画面を生成したり、在庫管理をしたりするための各店舗の通信端末機４、４・・・が通信ネットワーク５に接続されている。
【００２３】
販売者サーバ２は、Ｗｅｂサーバを含んで構成されており、購入者側のユーザが通信端末機３を操作してアクセスし、所望の画面をダウンロード要求してきたときには、そのアクセスしてきた通信端末機３にその画面情報６を送信し、さらに購入者ユーザが、ダウンロードした画面において注文などの所望の選択操作をしたときには、その操作にもとづいて送信してきた商品注文情報７などを受信する。
【００２４】
このように、本電子商取引システム１では、販売者サーバ２と購入者通信端末機３との間で、電子商取引に関する種々のデータの送受信が行われる。また、販売者サーバ２と店舗の通信端末機４との間でも、後述するように購入者向け画面生成や商品プロファイル設定などに関する種々のデータの送受信が行われる。
【００２５】
この電子商取引システム１は、商品ごとに種々のデータを設定、登録しておく商品プロファイルＰを備えており、この商品プロファイルＰは本実施形態では、販売者が階層構造の商品カテゴリに分類された商品を販売するために、商品を分類するためのすべての商品カテゴリの情報を保存したカテゴリマスターファイル１１と、すべての商品についての商品情報を保存した商品マスターファイル１２とを含んで構成されている。
【００２６】
これらカテゴリマスターファイル１１と商品マスターファイル１２とは、たとえばリレーショナルデータベースによって構成されていてもよく、上記２種のファイルがたとえば、階層構造にしたがった親子の関係となるように関連付けたデータベースとして生成されていてもよい。また同システム１は、各商品について在庫数を管理している在庫マスターファイル（不図示）なども備えている。
【００２７】
なお本実施形態では、販売者側でたとえば臨時のバーゲン情報として設定する販売価格情報（割引率）、販売期間（割引期間）については、カテゴリマスターファイル１１に設定しているが、商品マスターファイル１２にも登録するように設計してもよく、これらの情報の設定対象となる商品プロファイルは、商品に紐付いたファイルであれば特に限定されるものではない。
【００２８】
本発明システムの機能について、図２、図３を参照しながら説明する。図２は同システムの機能構成の例を示した図、図３は購入者向けの商品カテゴリ選択画面、商品選択画面の階層構造の構造例を模式的に示した図、図４（ａ）、（ｂ）は商品カテゴリ選択画面、図５は商品選択画面の各一例を示した図である。
【００２９】
電子商取引システム１は、各店舗用のバックオフィス機能として、購入者向け画面の設計、生成と、その画面に表示させる商品カテゴリおよび商品の各情報の登録、変更とをできるようにした商品登録機能Ａ、各商品の在庫管理を目的とした在庫管理機能Ｂ、システムの管理・保守等を目的としたシステム管理機能Ｃなどを有する一方、購入者向けの機能として、商品カテゴリ選択機能Ｄ、２次元マトリクスの桝目状の商品桝目一覧表で購入する商品を選択させるようにした商品選択機能Ｅ、購入者により選択されカートに格納された商品の情報を一覧表示して注文を受け付けるカート表示／注文機能Ｆ、すべての商品カテゴリと商品の階層構造を示した商品マップ表示機能Ｇなどを有している。商品マップ表示機能Ｇでは、たとえば図３に示した階層構造が表示される。
【００３０】
なお、購入者向け画面の設計、生成（画面レイアウト設計）と、その画面に表示させる商品カテゴリおよび商品の各情報の登録、変更（商品情報の登録）とは、後述するように、それぞれ購入者向け画面生成手段１０ａと、商品プロファイル設定手段１０ｂと（図６参照）に対応するもので、機能的には分離されるものであるが、本実施形態では、販売者が、１または複数の画面でもって連続して区別なく行える機能であるため、これらを商品登録機能Ａと位置付けている。
【００３１】
以上の各機能は、ユーザ（販売者あるいは購入者）との間のユーザインターフェースとして、販売者サーバ２と通信ネットワーク５を介して接続された各端末で操作、表示される対話型の表示画面を含んでおり、それらの画面は、トップページＴの下位に位置付けられ、トップページＴよりリンクにより表示させることができる。なお、図面およびその説明では、各機能に対応した画面に、上記各機能の同一の符号を付している。
【００３２】
なお、バックオフィス機能は、本例のように電子モールシステムの場合は、通信ネットワーク５を介して接続された各店舗の通信端末機４のブラウザ表示画面を介して操作されるようにしているが、特定の企業が商品販売を行う電子販売システムにおいては、通信ネットワークを介さず、販売者サーバ２に直結された端末（不図示）で操作されるようにしてもよい。
【００３３】
また、上記各機能のユーザインターフェースは、表示画面による対話形式のものに限定されず、ＣＳＶデータなどのカード型データによるインターフェースであってもよい。
【００３４】
購入者向けの商品カテゴリ選択画面Ｄ、商品選択画面Ｅは、商品登録機能Ａを使用して、階層構造に設計することが可能となっており、図３の例に示すように、商品選択画面Ｅを、１または複数階層の商品カテゴリ選択画面Ｄ１、Ｄ２・・・の最下層に位置付けるように設けることができる。各店舗では、図３の例のように、大分類、中分類、小分類の３階層の商品カテゴリ選択画面Ｄ１、Ｄ２、Ｄ３の下位に位置付けられる商品選択画面Ｅや、大分類、中分類の２階層の商品カテゴリ選択画面Ｄ１、Ｄ２の下位に位置付けられる商品選択画面Ｅや、大分類の商品カテゴリ選択画面Ｄ１の直下に位置付けられる商品選択画面Ｅなどを種々混在させて設計することができる。
【００３５】
大分類の商品カテゴリ選択画面Ｄ１は、たとえば購入者向け画面のトップページＴ１に位置付けられ、たとえば図４（ａ）に示すように、その店舗で取り扱う衣料品の全商品を大分類で区分した複数の商品カテゴリが、桝目状のテーブルに配列されて表示される。この例では、カテゴリ配列テーブルｄ１０は３行、４列の桝目状のテーブルよりなり、その各桝目にレディース、メンズ、ペア、子供、ベビーおよび特売の商品カテゴリ選択用に選択アイコンｄ１１が割り当てられている。
【００３６】
なお、商品カテゴリ選択画面Ｄのカテゴリ配列テーブルｄ１０は、桝目状に整列されているが、後述する商品選択画面Ｅの商品桝目一覧表ｅ２０（図５参照）のように、それぞれ分類条件で区分される２属性を行と列とに割り付けて、縦軸と横軸とで１つの桝目を特定するような２次元マトリクスではなく、商品カテゴリをランダムな順序で、ランダムな位置に割り当てることができるものである。よって、配列テーブルなどをもうけずに、商品カテゴリを示すアイコンのみを画面上に配置させてもよい。
【００３７】
購入者が、上記大分類の商品カテゴリ選択画面Ｄ１に表示されたカテゴリ配列テーブルｄ１０の中から１つの選択アイコンｄ１１を操作すると、中分類の商品カテゴリ選択画面Ｄ２あるいは商品選択画面Ｅに表示が切り替わる。各店舗が図３に示すような種々の階層の関連付けを設定しているため、購入者が大分類の商品カテゴリ選択画面Ｄ１で、ある商品カテゴリを選択すれば、その商品カテゴリに設定された階層（関連付け）構造に応じた、中分類の商品カテゴリ選択画面Ｄ２、商品選択画面Ｅのいずれかに切り替わる。
【００３８】
図４、図５の例には、商品カテゴリがメンズ（大分類）、ポロシャツ（中分類）の２階層構造のものを例示している。図４（ａ）の大分類の商品カテゴリ選択画面Ｄ１でメンズが選択されると、図４（ｂ）に示すように、メンズ用の中分類の商品カテゴリ選択画面Ｄ２が表示され、その画面でポロシャツが選択されると、図５に示すように、ポロシャツの商品選択画面Ｅが表示される。
【００３９】
商品選択画面Ｅは、図５に示すように、最下層の商品カテゴリに属する複数の同一カテゴリ関連商品を、それぞれ複数の分類条件からなる２属性を行属性、列属性に割り付けた２次元マトリクス桝目状に配列させた商品桝目一覧表ｅ２０を備えている。この商品桝目一覧表ｅ２０は、２属性である行と列とで特定される商品桝目欄ｅ２３に、販売価格表示部ｅ２３１と、購入者に購入数などを入力させて選択操作させる選択操作部ｅ２３２とを配置させている。また商品選択画面Ｅは、さらにその商品カテゴリに含まれる商品群（同一カテゴリ関連商品）に共通する属性をまとめて表示した共通事項欄ｅ１０を有している。
【００４０】
なお、選択操作部ｅ２３２は購入数を入力させるために、数値入力枠を備えているが、購入数の入力を必要としないものでは、購入数入力枠に代えて選択アイコンを備えてもよい。この選択アイコンには、画像などで形成された選択ボタン、チェックボックス、ラジオボタンなども含まれる。
【００４１】
購入者が、この商品選択画面Ｅの商品桝目欄ｅ２３の選択操作部ｅ２３２で商品を選択し数量を入力し、合計ボタンｅ２４を操作すれば合計金額ｅ２５が表示され、「カートに入れる」ボタンｅ２６を操作すれば、その購入者のカート１６（図６参照）へ選択商品の情報が格納され、その後の注文操作でカートに格納された全商品の注文を確定させることができる。
【００４２】
また、図４、図５の画面表示例では、配列テーブルｄ１０、商品桝目一覧表ｅ２０の右上にはバーゲン情報ｄ２０、ｅ３０が表示されている。このバーゲン情報ｄ２０、ｅ３０としては、商品カテゴリ選択画面Ｄの場合は、その画面に示したすべての商品カテゴリに属する商品が、その画面に示したすべての商品が表示されたバーゲン情報に適用されていることと、そのバーゲンの割引率を示す情報と、割引期間を示す情報とが表示される。また、商品選択画面Ｅの場合についても、同様のバーゲン情報が表示される。
【００４３】
このバーゲン情報は、商品登録機能Ａを使用して、商品カテゴリ選択画面Ｄ、商品選択画面Ｅの画面を設計するとともに設定できる。このように、画面単位で一定のバーゲン情報を設定できるようにしているため、その画面の下位に位置付けられる商品すべてを、同一のバーゲン情報に適用させることができる。
【００４４】
また、本実施形態では、ある商品カテゴリと、その商品カテゴリに属する下位の商品カテゴリとを別々のバーゲン情報に適用ささせることができる。たとえば、図４、図５の例では、中分類の商品カテゴリであるポロシャツに属する商品は、図５に示すように、割引率２０％、割引期間２００８年１月１日〜１５日のバーゲンが適用されるが、それ以外の大分類、中分類の商品カテゴリに属する商品については、図４（ａ）、（ｂ）に示すように、割引率１０％、割引期間２００８年１月１日〜３１日のバーゲンが適用されている。なお、バーゲン情報の詳細の設定方法については、後述する。
【００４５】
上述したように、購入者向けの商品カテゴリ選択画面Ｄに表示させる商品カテゴリの情報、および商品選択画面Ｅに表示させる商品の情報は、販売者である各店舗が個別に、商品登録機能Ａを利用して、登録できるようになっており、商品登録機能Ａは、各店舗で取り扱う商品を階層構造の画面構成に設計するための購入者向け画面生成手段１０ａや、割引率と割引期間を設定するための商品プロファイル設定手段１０ｂ（図６参照）を備えている。なお、商品登録機能Ａによって生成した主たるカテゴリ情報、商品情報は、カテゴリマスターファイル１１、商品マスターファイル１２に登録される。
【００４６】
商品カテゴリ、商品の情報が設定された購入者向け画面Ｄ、Ｅは、販売者サーバ２で、ＨＴＭＬ、ＸＭＬ等のＷｅｂ画面用のページ記述言語によって記述される画面情報６として準備され、あるいは購入者より要求があったときに画面情報６として動的に生成され、購入者の通信端末機３では、通信端末機３に搭載したブラウザが、要求した画面の画面情報６をダウンロードして、その画面を表示する。
【００４７】
たとえば、購入者の通信端末機３より操作要求があったときには、販売者サーバ２は、ＣＧＩ（Ｃｏｍｍｏｎ  Ｇａｔｅｗａｙ  Ｉｎｔｅｒｆａｃｅ）またはＳＳＩ（Ｓｅｒｖｅｒ  Ｓｉｄｅ  Ｉｎｃｌｕｄｅ）を稼動させて、カテゴリマスターファイル１１や商品マスターファイル１２、在庫マスターファイル（不図示）などから可変情報を取り出し、購入者の通信端末機３に表示すべき商品カテゴリ選択画面Ｄや商品選択画面Ｅの画面情報６を動的に編集し、その画面情報６を要求があった通信端末機３に送出する。
【００４８】
図６は、電子商取引システム１の内部システム構成を示した図である。図１〜図５および本図にもとづいて、システムの処理概要について説明する。
【００４９】
図６中、１３は本システム１の商品カテゴリ選択画面Ｄ、商品選択画面Ｅを通じて実行される商品選択／カート格納処理、１４はカート表示／注文画面Ｆを通じて実行される選択商品一覧表示／注文受付処理、１０ａは、購入者向け画面のデザインファイル（不図示）などにデータを登録しながら画面を生成する購入者向け画面生成手段、１０ｂは、カテゴリマスターファイル１１、商品マスターファイル１２などの商品プロファイルＰへのデータ設定、変更を可能とした商品プロファイル設定手段、１０ｃは、購入者の通信端末機３からのダウンロード要求に応じて商品選択画面Ｅなどの画面をダウンロードさせる画面提供手段１０ｃである。
【００５０】
さらに、１６は購入者の商品選択操作によって商品情報が一時的に記憶されるカート領域、１５は注文を受け付けた際に動作する受注処理を示している。なお、ユーザ登録機能、在庫管理機能、システム管理機能に関する処理や、通信処理、ブラウザなどは図示を省略している。
【００５１】
また、本システム１は、図１に示すように、販売者サーバ２、購入者通信端末機３、店舗の通信端末機４などを含んだ機器構成であり、これらの機器２、３に搭載されたＣＰＵ（不図示）やプログラムにもとづいて動作するものであるが、システムの動作は、これら機器の協働によってなされ、その役割分担は限定されないため、図６ではこれらの機器の図示は省略している。また、本システム１は、設定された割引期間にバーゲンを適用させるものであるため、少なくとも販売者サーバ２はシステム時計を内蔵していることはいうまでもない。
【００５２】
購入者向け画面生成手段１０ａは、購入者向け画面生成プログラムなどを含んで構成され、図３に例示した各画面の画面レイアウトを設計しながら、商品プロファイル設定手段（プログラム）１０ｂを動作させて、商品カテゴリ情報や商品情報を各ファイルに対して登録、変更できるようになっており、販売者サーバ２と店舗の通信端末機４との協働により構成されている。
また、本実施形態では、購入者向け画面生成手段１０ａと商品プロファイル設定手段１０ｂとは、購入者向け画面生成画面Ａという画面で実行できるようになっている。さらに、購入者向け画面生成画面Ａの操作によるリアル処理と、夜間などに複数カテゴリ、複数商品について一括して実行されるバッチ処理とに区分して、それらを組み合わせて購入者向け画面生成手段１０ａと商品プロファイル設定手段１０ｂとを構成し、最終的な登録、変更ができるようにしてもよい。
【００５３】
また、商品プロファイル設定手段１０ｂは、割引率と割引期間とよりなるバーゲン情報を、商品桝目一覧表ごとに設定することを可能としている。なお本発明は、購入者向け画面生成画面Ａにおけるバーゲン設定に特徴を有したもので、その操作およびシステムの動作については、商品プロファイル設定手段１０ｂの基本動作とともに、図８〜図１６に後述する。
【００５４】
商品選択／カート格納処理１３は、購入者の通信端末機３で、多階層の商品カテゴリ選択画面Ｄを購入者に操作させながら所望の商品カテゴリの商品選択画面Ｅを表示させる。その商品選択画面Ｅでは、その商品カテゴリに含まれる商品群の複数の商品情報が、共通事項欄ｅ１０と桝目状の商品桝目一覧表ｅ２０とによって表示され、購入者が商品桝目一覧表ｅ２０の所望の商品の商品桝目欄ｅ２３に予定購入数を入力し合計算出操作をすると、数量入力された商品の合計金額を計算し表示し、さらにその後の購入者のカート格納操作により、選択した商品の情報をカート１６に格納する構成となっている。
【００５５】
一覧表示／注文受付処理１４は、購入者の通信端末機３に、購入者が選択したカート１６内商品の一覧を含むカート表示画面Ｆを表示させ、その画面で注文操作がされたときにカート１６に格納された商品の注文を受け付ける構成となっている。
【００５６】
受注処理１５は、一覧表示／注文受付処理１４により受け付けた注文情報にもとづいて、所定の受注に関する処理、たとえば、受注伝票の作成、在庫の確認などの処理を実行する。
【００５７】
また、カテゴリマスターファイル１１、商品マスターファイル１２は、少なくとも図７に示す項目を含んだデータレコードを含んで構成される。図７（ａ）はカテゴリマスターファイル１１のデータ構造、（ｂ）は商品マスターファイル１２のデータ構造を示したものである。
【００５８】
カテゴリマスターファイル１１は、商品カテゴリごとに区分され、商品カテゴリコード、商品カテゴリ名、上位の商品カテゴリコード、当カテゴリが最下層カテゴリであるかどうかを示す最下層フラグ、選択アイコン用の画像などの基本情報に加え、割引率、割引開始年月日、終了年月日を含むバーゲン情報も含んでいる。また、商品カテゴリ選択画面Ｄのカテゴリ配列テーブルｄ１０（図４参照）の表示位置に関する情報も含んでいる。
【００５９】
ここで、商品カテゴリコードは、商品カテゴリごとに一意なコードデータであり、階層が判断できるようなコード体系とすることが望ましく、たとえば大分類の商品カテゴリコードをＣ０１、Ｃ０２・・・、以下、中分類をＣ１１、Ｃ１２・・・、小分類をＣ２１、Ｃ２２・・・と定義すればよい。また、図７中の親カテゴリコードとは、当該商品カテゴリが属し、直上位に位置付けられた商品カテゴリの商品カテゴリコードを示しており、これによって上下層の関連付けが定義できる。なお、トップページに位置付けられる大分類の商品カテゴリの場合には、上位の商品カテゴリコードとして、たとえば「Ｃ００」などのダミー（トップ）カテゴリコードを定義しておけばよい。
【００６０】
商品マスターファイル１２は、商品ごとにレコード区分され、そのレコードには、商品コードと、その商品が属する親カテゴリコード、商品名（商品カテゴリ名）、画像、素材、販売単位などの当該カテゴリ内の共通事項ｅ１０の情報と、商品桝目一覧表ｅ２０の行属性の分類区分、列属性の分類区分、桝目内に表示される販売価格、個別商品の画像などの個別情報と、商品選択画面Ｅの商品桝目一覧表ｅ２０の表示位置情報とを含んでいる。なお本例では、行属性にサイズを、列属性に色を規定している。
【００６１】
ここで、商品コードは、商品ごとに一意なコードデータであり、商品桝目一覧表ｅ１０の各商品桝目欄ｅ２３に割り付けられたすべての商品について付与される。
【００６２】
なお、上述するように、このようなカテゴリマスターファイル１１と商品マスターファイル１２とを有したファイル構成には限られず、他のファイル構成であってもよい。また、各ファイル内の構造も上記のものには限られず、商品カテゴリ階層を他の方式、他のデータ構造により関連付けるものでもよい。
【００６３】
図８、図９は商品カテゴリ選択画面Ｄの生成（新規登録）手順、変更手順の各一例を示した図、図１０はバーゲン設定基本動作を示すフローチャートである。
【００６４】
以下、これらの図面とともに、適宜、図１〜図７を参照しながら、購入者向け画面生成手段１０ａと商品プロファイル設定手段１０ｂの基本動作について説明する。
【００６５】
なお、商品カテゴリ選択画面Ｄ、商品選択画面Ｅなどの購入者向け画面を生成するための生成画面Ａは、本例では、それらの購入者向け画面Ｄ、Ｅに１対１に対応し、かつ、それらの購入者向け画面Ｄ、Ｅに表示される項目も、ほぼ１対１に対応している。そのため、添付図面には、生成画面Ａにおける画面内の項目については、購入者向け画面Ｄ、Ｅのものと同一の符号を付している。
【００６６】
商品カテゴリ選択画面Ｄの生成（新規登録）、変更は、購入者向け画面生成手段１０ａを稼動して表示された生成画面Ａ１との対話形式で行われ、生成画面Ａ１において画面の種々のレイアウト設計ができるとともに、その画面設計において入力した商品カテゴリデータのカテゴリマスターファイル１１への登録も行える。
【００６７】
具体的には次に説明するように、所望の画面ごとに購入者向け画面生成手段１０ａを稼動させて、生成画面Ａ１を呼び出して、その画面上で、桝目状のカテゴリ配列テーブルｄ１０を生成し、商品カテゴリを識別するための選択アイコンｄ１１などを各桝目に割り付けることによって行うとともに、商品プロファイル設定手段１０ｂも動作させて、商品カテゴリに関する情報の登録を行う。
【００６８】
すなわち、購入者向け画面生成手段１０ａおよび商品プロファイル設定手段１０ｂによって、図８に示すように、カテゴリ配列テーブルｄ１０を構成する桝目の行数ａ１１、列数ａ１２の入力を受け付け、入力された行数、列数で定まる桝目内が空白のカテゴリ配列テーブルｄ１０を表示させ、その後、個々の桝目に対し、選択アイコンｄ１１として画像などを取り込んで貼り付けるとともに、さらに他の属性情報（たとえば商品カテゴリコード、商品カテゴリ名など）を入力していくことで、カテゴリ配列テーブルｄ１０が生成される。
【００６９】
次に画面内の保存ボタンａ１３が操作されると、商品プロファイル設定手段１０ｂは、カテゴリ配列テーブルｄ１０の各桝目に配列された商品カテゴリの画像よりなる選択アイコンｄ１１等の情報を、テーブル内位置情報とともに販売者サーバ２のカテゴリマスターファイル１１に登録する。
【００７０】
また、商品プロファイル設定手段１０ｂは、行列数の入力によって空白のカテゴリ配列テーブルｄ１０を表示させるとともに、図８に示すように、バーゲン情報ｄ２０である割引率と割引期間の設定エリアも表示させて、販売者がその設定エリアに自由に設定、入力して、その画面に設定する商品カテゴリについて所望のバーゲンを設定できるようにしている。
【００７１】
なお、このバーゲン情報ｄ２０は、商品カテゴリの新規登録と同時に設定することもできるが、いったん登録した後の変更登録においても設定できる。本例では、変更登録にてバーゲン情報ｄ２０を設定する例を図９に示している。また、後述するように、上位の商品カテゴリの設定においてすでにバーゲン情報ｄ２０が設定されている場合は、新規に画面生成する場合であっても、バーゲン情報ｄ２０は上位の商品カテゴリより引き継がれ、その情報が設定エリアにデフォルト表示される。
【００７２】
また、バーゲン情報の割引期間は日付指定であるが、開始日の日数で指定できるようにしてもよい。さらに、時刻（時間）の指定ができるようにしてもよい。時間指定することで、タイムサービスバーゲンにも利用できる。
【００７３】
なお本例では、バーゲン情報の設定エリアをカテゴリ配列テーブルｄ１０の生成画面Ａ１で登録できるようにしているが、商品カテゴリ選択画面Ｄに対応付けられた別の生成画面で登録できるようにしてもよい。
【００７４】
以上の画面生成の動作は、ＣＳＶデータなどのカード型データの入力によってなされてもよい。カード形式、対話形式のいずれにも対応させておけば、たとえば、新規に生成する場合はＣＳＶデータによって行い、その後の修正を対話形式によって行える。
【００７５】
このように、商品カテゴリ選択画面Ｄを生成する際に、その商品カテゴリ選択画面Ｄに配置するすべての商品カテゴリについて一律のバーゲン情報を設定できるので、操作はきわめて簡易であり、販売者のデータ登録の手間が軽減できる。また、商品カテゴリ選択画面Ｄを生成しながら、商品カテゴリの登録と同時に設定できるので、取り扱う商品が多数ある場合にも、商品カテゴリとバーゲン情報との関連付けを画面で確認しながら設定でき、そのため誤設定の可能性は低く、信頼性は非常に高い。
【００７６】
また、新規に登録した後、購入者向け画面生成手段１０ａを稼動して、上記のように生成した購入者向けの商品カテゴリ選択画面Ｄに対応した生成画面Ａ１を呼び出すことができ、その画面での対話形式により、バーゲン情報の設定、カテゴリ配列テーブルｄ１０の行列数変更、選択アイコンｄ１１の追加、入替、削除などの設計変更をすることができる。
【００７７】
また、商品カテゴリと商品の新規登録は、階層の上から下へとトップダウンに行えるようになっており、そのために、商品カテゴリ選択画面Ｄのカテゴリ配列テーブルｄ１０の各桝目には、選択アイコンｄ１１の他に、その商品カテゴリ選択画面Ｄの下位に位置する商品カテゴリ選択画面Ｄおよび商品選択画面Ｅの生成画面Ａへのリンクボタン（不図示）が設けられている。そのボタンを操作することで、それらの購入者向け画面Ｄ、Ｅを連続して生成することができる。なお、いったんそれらの画面を生成して上下関係を関連付けた後は、登録された下位のリンクボタンを有効なボタンとして表示する。また、リンクボタンの操作で商品選択画面Ｅの生成画面Ａを選択し、その後、商品選択画面Ｅを生成して新規登録する際に、ファイルマスターファイル１１の最下層フラグをセットすればよい。
【００７８】
なお、以下の説明では便宜上、ある商品カテゴリ選択画面に含まれる複数の商品カテゴリを「子カテゴリ」または「当該カテゴリ」と呼び、それらのカテゴリの直接上位に相当する、その画面自体の商品カテゴリを「親カテゴリ」と呼び、子カテゴリのさらに下位に相当する商品カテゴリを「下位カテゴリ」と呼ぶ。また、商品選択画面Ｅの場合、その画面に含まれる商品が属する商品カテゴリに相当する、その画面自体の商品カテゴリを「親カテゴリ」と呼ぶ。
【００７９】
図９は、画面が設計された後の画面変更の際にバーゲン情報ｄ２０を新規設定する例を示している。本図に示すように、購入者向け画面生成手段１０ａを稼動して生成画面Ａ１を呼び出すと、購入者向け画面生成手段１０ａは、選択アイコンｄ１１が割り付けられたカテゴリ配列テーブルｄ１０と、未設定のバーゲン情報ｄ２０とを表示する。その後、割引率と割引期間の各設定エリアにデータが入力され、保存ボタンａ１３が操作されると、その画面に表示された商品カテゴリ（親カテゴリとその下位層すべての商品カテゴリ）へのバーゲン情報の登録確定動作を実行する。
【００８０】
本実施形態では、バーゲン設定を階層ごとに異なる設定とすることを可能としている。たとえば、ある特定の大分類の商品カテゴリに属する中分類の商品カテゴリについて商品カテゴリ選択画面を生成する場合において、その画面でバーゲン情報（Ａ）を設定すると、その大分類の商品カテゴリと、それより下位のすべての商品カテゴリとについてはバーゲン情報（Ａ）が登録されるが、その後、バーゲン情報（Ａ）が引き継がれた中分類の商品カテゴリのうち特定の中分類の商品カテゴリについて、小分類の商品カテゴリを設定し、引き継がれたバーゲン情報（Ａ）からバーゲン情報（Ｂ）に設定変更すると、その特定の中分類コードと、それより下位のすべての商品カテゴリとについては、バーゲン情報（Ｂ）が変更登録される。その後さらに、上記特定の大分類の商品カテゴリについて、バーゲン情報（Ａ）からバーゲン情報（Ｃ）に設定変更すると、バーゲン情報（Ｂ）を設定した中分類の商品カテゴリを含む、下位のすべての商品カテゴリについて、バーゲン情報（Ｃ）が変更登録される。
【００８１】
このように、当該商品カテゴリにバーゲン情報を設定すると、その当該商品カテゴリに属するすべての下位の商品カテゴリに同一のバーゲン情報を登録できるとともに、その後になされた変更設定でもって、下位の一部の商品カテゴリについて、または当該カテゴリとその下位カテゴリを包含する上位の商品カテゴリについても、バーゲン情報の変更登録をすることができる。
【００８２】
つまり、本実施形態では、一度のバーゲン設定で、親カテゴリと、それに属するすべての子カテゴリ（さらに下位の商品カテゴリも含む）とを同一のバーゲン情報を設定するルールを採用するとともに、後の設定操作を有効にした後優先のルールも採用している。
【００８３】
このような後優先ルールを採用しているため、引き継がれたバーゲン情報を他のバーゲン情報に変更操作がなされたことを判別する必要があるが、そのために、生成画面Ａ１による保存操作がなされたときには、画面より入力したバーゲン情報と親カテゴリに登録済みのバーゲン情報とを比較し、一致しているときは変更なし、不一致の場合は変更ありと判断している。
【００８４】
すなわち、図１０のフローチャートに示すように、生成画面Ａ１による保存操作がなされると、設定データにエラーがなければ、カテゴリマスターファイル１１より親カテゴリのレコードをリードし、その親カテゴリのバーゲン情報と、画面で設定されたバーゲン情報とが一致しているかどうかをみて、バーゲン情報の設定、変更の有無を判断する（ステップ１０１〜１０４）。
【００８５】
なお、通常のカテゴリ生成手順によれば、生成画面Ａ１で生成しようとする当該カテゴリの親カテゴリはすでに登録済みであるが、大分類の商品カテゴリの親カテゴリはダミー（トップ）カテゴリであり、そのダミーカテゴリを生成するための生成画面は存在しない。そのため、ダミーカテゴリを登録済みとしておくために、最初に商品登録機能Ａを使用する際などに自動生成できるようにしておけばよい。
【００８６】
ついで商品プロファイル設定手段１０ｂは、バーゲン情報の設定、変更がない場合は、カテゴリマスターファイル１１に対し、新規設定された子カテゴリについては、バーゲン情報を初期化（たとえば割引率、割引期間を０とする）して新規登録し、位置変更などの変更設定された子カテゴリについては、バーゲン情報を変更することなく前の設定を引き継いで更新登録する（ステップ１０４のＮ、１０５、１０６）。
【００８７】
また、バーゲン情報の設定、変更がある場合は、カテゴリマスターファイル１１に対し、親カテゴリについては、入力されたバーゲン情報を設定して更新登録し、新規設定された子カテゴリについては、設定されたバーゲン情報を設定して新規登録し、その他の子カテゴリについては、変更入力されたバーゲン情報を設定して更新登録し、さらにすべての子カテゴリに属する下位カテゴリについても、変更入力されたバーゲン情報を設定して更新登録する（ステップ１０４のＹ、１０８〜１１２）。
【００８８】
いずれの場合も、登録処理後に登録完了などのメッセージを含んだ画面を編集して、販売者の通信端末機の画面を再表示させる（ステップ１０７、１１２、１１３）。また、設定データがエラーの場合は、エラー画面を編集して再表示させる（ステップ１０２、１１４、１１３）。
【００８９】
以上のように、商品プロファイル設定手段１０ｂは、ある商品カテゴリ選択画面Ｄを生成する際に、その商品カテゴリ選択画面Ｅのカテゴリ配列テーブルｄ１０に配置するすべての商品カテゴリに属するすべての商品について、同一のバーゲン情報を設定できる構成であるため、下位の商品カテゴリを含む商品カテゴリ単位の一括のバーゲン設定が行える。
【００９０】
また、購入者への公平なサービスができるように、各商品カテゴリに設定された割引期間内におけるバーゲン情報の変更については、割引率の変更および割引期間の短縮する変更を禁止できる構成とすることが望ましい。
【００９１】
次に、商品選択画面Ｅの生成および変更手順について説明する。
【００９２】
図１２、図１３は商品選択画面Ｅの生成手順、変更手順の一例を示した図、図１４は商品選択画面Ｅのバーゲン設定基本動作を示すフローチャートである。
【００９３】
以下、これらの図面とともに、適宜、図１〜図７を参照しながら、購入者向け画面生成手段１０ａと商品プロファイル設定手段１０ｂの動作について説明する。
【００９４】
商品選択画面Ｅの生成、変更は、購入者向け画面生成手段１０ａを稼動して表示された生成画面Ａ２との対話形式で行われ、生成画面Ａ２において画面の種々のレイアウト設計ができるとともに、その画面設計とともに入力した商品情報の商品マスターファイル１２への登録も行える。
【００９５】
具体的には次に説明するように、所望の画面ごとに購入者向け画面生成手段１０ａを稼動させて、生成画面Ａ２を呼び出して、その画面上で、それぞれ複数の分類条件に区分された行、列の２属性からなる２次元マトリクスの桝目状の商品桝目一覧表ｅ２０を生成し、行属性欄、列属性欄およびマトリクス内の商品桝目欄ｅ２３に販売価格、画像などを割り付けることによって行うとともに、商品プロファイル設定手段１０ｂも動作させて、商品に関する情報の登録を行う。
【００９６】
すなわち、購入者向け画面生成手段１０ａおよび商品プロファイル設定手段１０ｂによって、図１１に示すように、生成しようとする商品選択画面Ｅに表示すべき商品群（親カテゴリに属する関連商品）に共通する共通事項ａ２１と、商品桝目一覧表ｅ２０の商品桝目欄ｅ２３の行数ａ２２、列数ａ２３の入力を受け付け、入力された共通事項ａ２１を共通事項欄ｅ１０に表示させ、入力された行数ａ２２、列数ａ２３にもとづく空白の商品桝目一覧表ｅ２０を表示させ、その後、購入者が、行属性欄ｅ２１、列属性欄ｅ２２の分類区分に分類条件ｅ２１１、ｅ２２１を入力し、さらに個々の桝目に対し、必要に応じて画像などを取り込んで貼り付けるとともに、販売価格ｅ２３１やその他の個別の商品属性を入力していくことで、商品群の登録された商品一桝目覧表ｅ２０を生成される。
【００９７】
図１１、図１２には、サイズと色とで分類されるメンズポロシャツを例示しており、サイズは行属性ｅ２１に割り付けられ、その行項目にはＳ、Ｍ、Ｌ、ＬＬの４分類条件ｅ２１１が割り付けられている一方、色は列属性ｅ２２に割り付けられ、その列項目には白、青、赤、柄の４分類条件ｅ２２１が割り付けられている。図例では、商品桝目欄ｅ２３には販売価格ｅ２３１のみを図示しており、商品画像などの他の情報は図示を省略している。
【００９８】
また、購入数の入力により商品を選択させる選択操作部ｅ２３２（図５参照）は、生成画面Ａ２では所望のサイズの入力枠を生成できるようにしてもよいが、購入者通信端末機３に画面表示させるときに、購入者が入力するための全桝目欄に共通の購入数入力枠を動的に編集してもよい。
【００９９】
次に画面内の保存ボタンａ２４が操作されると、商品プロファイル設定手段１０ｂは、共通事項ｅ１０および商品桝目一覧表ｅ２０に入力された各商品の属性情報を、その位置情報とともに販売者サーバ２の商品マスターファイル１２に登録する。
【０１００】
また、購入者向け画面生成手段１０ａと商品プロファイル設定手段１０ｂは、行列数の入力によって空白の商品桝目一覧表ｅ２０を表示するとともに、図１１、図１２に示すように、バーゲン情報ｅ３０である割引率と割引期間の設定エリアも表示させて、販売者が自由に設定、入力できるようにしている。なお、このバーゲン情報ｅ３０は、商品の新規登録と同時に行うこともできるが、いったん登録した後の変更登録においてもできる。本例では、上位の商品カテゴリの設定において登録されたバーゲン情報が引き継がれて、デフォルト表示され、その情報が設定エリアにデフォルト表示され図１２に示した変更登録にてバーゲン情報を設定している。
【０１０１】
なお本例では、バーゲン情報の設定エリアを商品桝目一覧表ｅ２０の生成画面Ａ２で登録できるようにしているが、商品選択画面Ｅに対応付けられた別の生成画面で登録できるようにしてもよい。
【０１０２】
以上の画面生成の動作は、ＣＳＶデータなどのカード型データの入力によってなされてもよい。
【０１０３】
このように、商品選択画面Ｅを生成する際に、その商品選択画面単位でバーゲン情報を設定でき、つまり商品桝目一覧表に配置するすべての商品について一律のバーゲン情報を設定できる構成であるため、操作はきわめて簡易であり、販売者のデータ登録の手間が軽減できる。また、商品選択画面Ｅを生成しながら商品の登録と同時に設定できるので、取り扱う商品が多数ある場合にも、商品とバーゲン情報との関連付けを画面で確認しながら設定できる、そのため誤設定の可能性は低く、信頼性は非常に高い。
【０１０４】
図１３のフローチャートに示すように、商品プロファイル設定手段１０ｂは、生成画面Ａ２による保存操作がなされると、設定データにエラーがなければ、カテゴリマスターファイル１１より親カテゴリのレコードをリードし、その親カテゴリのバーゲン情報と、画面から入力されたバーゲン情報とが一致しているかどうかをみて、バーゲン情報の設定、変更の有無を判断する（ステップ２０１〜２０４）。
【０１０５】
ついで、バーゲン情報の設定、変更がある場合は、カテゴリマスターファイル１１に対し、親カテゴリについて設定されたバーゲン情報を設定して更新登録し、バーゲン情報の設定、変更の有無にかかわらず、商品桝目一覧表ｅ２０に入力された商品について商品マスターファイル１２に新規登録または更新登録する（ステップ２０４〜２０６）。
【０１０６】
そして、登録完了などのメッセージを含んだ画面を編集して、販売者の通信端末機の画面を再表示させる（ステップ２０７、２０８）。また、設定データがエラーの場合は、エラー画面を編集して再表示させる（ステップ２０２、２０９、２０８）。
【０１０７】
また、購入者への公平なサービスができるように、各商品カテゴリに設定された割引期間内におけるバーゲン情報の変更については、割引率の変更および割引期間の短縮する変更を禁止できる構成とすることが望ましい。
【０１０８】
以上のように、生成画面Ａ１、Ａ２において対話形式あるいはＣＳＶ形式によって登録された各商品カテゴリに関するバーゲン情報は、カテゴリマスターファイル１１に書き込まれて、その後の購入者端末器３からのアクセスによって表示される購入者端末器３の商品カテゴリ選択画面Ｄ、商品選択画面Ｅの中に付加表示される。
【０１０９】
図１４は、画面提供手段１０ｃによる購入者通信端末機３に対する表示の基本動作を示すフローチャートである。以下、図４、図５の購入者向け画面Ｄ、Ｅを参照しながら説明する。
【０１１０】
商品カテゴリ選択画面Ｄにおいて、ある商品カテゴリ（親カテゴリ）が選択操作されると、画面提供手段１０ｃは、カテゴリマスターファイル１１より、操作された親カテゴリのレコードをリードし、その親カテゴリが最下層であるかどうかを判別する。
【０１１１】
親カテゴリが最下層に位置付けられている場合は、商品マスターファイル１２より親カテゴリに属するすべての関連商品のレコードをリードし、親カテゴリレコードのバーゲン情報の適用の有無を判別し、適用ありであれば、各商品の標準販売価格と割引率とにもとづいて割引価格を算出し、その割引価格を販売価格として商品桝目一覧表を生成する一方、バーゲン情報が適用なしの場合、各商品の標準販売価格をそのまま販売価格として商品桝目一覧表を生成し、カテゴリマスターファイル１１や商品マスターファイル１２にもとづいて共通事項を生成し、その共通事項と上記生成された商品桝目一覧表にその他必要な情報を付加して画面編集して販売者の通信端末機３に表示させる（ステップ３０２のＹ、３０３〜３０７、３１２）。
【０１１２】
なお、バーゲン情報の適用の有無は、販売者サーバ１がアクセスを受けた年月日が、当該カテゴリレコード内の割引期間の範囲内かどうかによって判断される。
【０１１３】
また、たとえばバーゲン情報が適用される場合、その割引率と割引期間を商品桝目一覧表の欄外に付加表示してもよい。また、割引前の標準販売価格を、商品桝目一覧表の各桝目の販売価格の下に付加表示させるようにしてもよい。
【０１１４】
親カテゴリが最下層でない場合は、カテゴリマスターファイル１１より親カテゴリに属するすべての子カテゴリレコードをリードし、親カテゴリレコードのバーゲン情報の適用の有無を判別し、適用ありであれば、バーゲン情報を付加してカテゴリ配列テーブルを生成する一方、バーゲン情報が適用なしの場合、バーゲン情報を付加することなくカテゴリ配列テーブルを生成し、生成されたカテゴリ配列テーブルにその他必要な情報を付加して画面編集して販売者の通信端末機３に表示させる（ステップ３０２のＮ、３０８〜３１２）。
【０１１５】
購入者は、こうして購入者端末機３に表示された商品カテゴリ選択画面Ｄ、商品選択画面Ｅによって、バーゲン商品を、価格を確認しながら選択し、注文することができる。
【０１１６】
図１５は、商品プロファイル設定手段１０ｂによるバーゲンの終了処理を示すフローチャートである。
【０１１７】
本実施形態では、バーゲン設定の終了処理は、夜間のメンテナンスタイムなどに実行される日次バッチ処理によってなされるようにしている。
【０１１８】
商品プロファイル設定手段１０ｂの日次バッチ処理は、夜間に起動されると、カテゴリマスターファイル１１より上位カテゴリより順に１件ずつレコードリードしながら、全商品カテゴリについて１件ごとに以下のバーゲン情報更新処理を行う（ステップ４０１〜４０７）。
【０１１９】
バーゲン情報更新処理では、バッチの起動時点の年月日と、バーゲン情報の終了年月日とを比較して期間徒過を判別し、徒過していれば、その商品カテゴリに上位カテゴリが存在すれば、その商品カテゴリのバーゲン情報を上位カテゴリのバーゲン情報に合わせるよう更新し、上位カテゴリが存在しなければ、その商品カテゴリのバーゲン情報をリセットする（ステップ４０３〜４０６）。
【０１２０】
以上の実施形態は、商品カテゴリ単位にバーゲン情報を設定する構成であり、個別の商品、つまり商品桝目一覧表を構成する個々の商品について異なるバーゲン情報を適用させることはできないが、きめ細かなバーゲンを実施するために、個々の商品についても、商品選択画面Ｅの生成画面においてバーゲン情報を設定できるようにしてもよい。
【０１２１】
図１６は、バーゲン情報の適用の有無別に表示される商品選択画面Ｅの例を、図９、図１１の設定例に対応させて示したポロシャツ選択画面で、（ａ）には２００８年１月１日〜１５日に適用される画面、（ｂ）には２００８年１月１６日〜３１日に適用される画面、（ｃ）にはその他の期間に適用される画面を示している。
【０１２２】
すなわち、図１６（ａ）に示すように、２００８年１月１日〜１５日の期間に購入者側より表示要求されると、ポロシャツには割引期間２００８年１月１日〜１５日、割引率２０％のバーゲン情報が設定されているので、各桝目の販売価格は標準販売価格より２０％減額された価格が表示される。
【０１２３】
また、図１６（ｂ）に示すように、２００８年１月１６日〜３１日の期間に表示要求されると、子カテゴリであるポロシャツに設定された割引期間が徒過して、バーゲン情報は上記バッチ処理にてリセットされているため、親カテゴリであるメンズ衣料に設定されたバーゲン情報が適用されて、各桝目の販売価格は標準販売価格より１０％減額された価格が表示される。
【０１２４】
さらに、図１６（ｂ）に示すように、その他の期間（２００８年１月１日以前、または２００８年１月３１日以後）に表示要求されると、ポロシャツ、メンズ衣料のいずれのバーゲン情報の設定期間でもないため、標準販売価格が販売価格として表示される。
【０１２５】
以上の実施形態では、購入者向け画面生成手段１０ａと商品プロファイル設定手段１０ｂによる商品の登録を含む画面生成によれば、生成された画面が保存後すぐに購入者の通信端末機の表示用に反映されるリアルタイム反映方式が採用されているが、生成日の翌日または指定日に反映されるようにしてもよい。また、リアルタイム反映方式と事後反映方式とを販売者に選択できるようにしてもよい。事後反映の場合、カテゴリマスターファイル１１を販売者用と購入者用とに分けて、反映日の前日のメンテナンスタイムに、販売者用のファイル内容を購入者用のファイルに反映させればよい。
【０１２６】
また、本実施形態に示したバーゲン設定では、購入者端末機３からの表示要求のつど、商品桝目一覧表の各桝目の販売価格を、標準販売価格にするか割引価格にするかを決定しているが、割引開始年月日の前日のメンテナンスタイムに、表示すべき商品桝目一覧表の商品データをバーゲン用に入れ替えて準備しておくようにしてもよい。
【０１２７】
つまり、画面提供手段１０ｃは、日次などの所定のタイミングで、バーゲン情報の割引期間と、現在日時とにもとづいて、設定された販売価格情報のリリースタイミングを判別し、リリースタイミングであると判断された場合には、その販売期間に対応した販売価格を組み込ませた商品桝目一覧表を生成、準備する一方、購入者端末機３から商品選択画面Ｅのダウンロード要求を受け付けたときには、リリースされた商品桝目一覧表を含ませた商品選択画面Ｅを購入者の通信端末機３にダウンロードさせる。
【０１２８】
以上に示した実施形態では、販売期間と、それにともなう販売価格情報として、割引期間と割引率よりなるバーゲン情報を例示したが、それには限定されない。たとえば、消費税の税率変更や急な値上げなどで、システム変更が間に合わない場合に、これらを設定することで、一時的な仮処置が行えるようにしてもよい。
【図面の簡単な説明】
【０１２９】
【図１】本発明の実施形態の一例である電子商取引システムのシステム構成図である。
【図２】同システムの機能構成の一例を示した図である。
【図３】同システムの購入者向けの商品カテゴリ選択画面、商品選択画面の階層構造の構成の一例を示した図である。
【図４】（ａ）、（ｂ）は購入者の通信端末機に表示される商品カテゴリ選択画面の一例を示した図である。
【図５】購入者の通信端末機に表示される商品選択画面の一例を示した図である。
【図６】同システムの内部システム構成を示した図である。
【図７】（ａ）はカテゴリマスターファイルのデータ構造、（ｂ）は商品マスターファイルのデータ構造を示した図である。
【図８】商品カテゴリ選択画面の生成手順の一例を示した図である。
【図９】商品カテゴリ選択画面の変更手順の一例を示した図である。
【図１０】商品カテゴリ選択画面の設計における商品プロファイル設定手段の基本動作の一例を示したフローチャートである。
【図１１】商品選択画面の生成手順の一例を示した図である。
【図１２】商品選択画面の変更手順の一例を示した図である。
【図１３】商品選択画面の設計における商品プロファイル設定手段の基本動作の一例を示したフローチャートである。
【図１４】画面提供手段による購入者端末器に対する表示の基本動作を示すフローチャートである。
【図１５】商品プロファイル設定手段によるバーゲンの終了処理を示すフローチャートである。
【図１６】（ａ）、（ｂ）はバーゲン適用のある商品選択画面、（ｃ）バーゲン適用のない商品選択画面の概略図である。
【符号の説明】
【０１３０】
１      電子商取引システム
２      販売者サーバ
３      購入者通信端末機
４      店舗の通信端末機
５      通信ネットワーク
６      画面情報
１０ａ      購入者向け画面生成手段
１０ｂ      商品プロファイル設定手段
１０ｃ      画面提供手段
Ｐ      商品プロファイル
１１      カテゴリマスターファイル
１２      商品マスターファイル
Ｄ      商品カテゴリ選択画面
ｄ１０      カテゴリ配列テーブル
ｄ１１      選択アイコン
ｄ２０      バーゲン情報
Ｅ      商品選択画面
ｅ１０      共通事項
ｅ２０      商品桝目一覧表
ｅ２１      行属性
ｅ２２      列属性
ｅ２１１、ｅ２２１      分類条件
ｅ２３      商品桝目欄
ｅ２３１      販売価格表示部
ｅ２３２      選択操作部
ｅ３０      バーゲン情報
Ａ      商品登録機能（画面）
Ａ１      商品カテゴリ選択画面の生成画面
Ａ２      商品選択画面の生成画面
【図１】
0005154210.tif 000002
【図２】
0005154210.tif 000003
【図３】
0005154210.tif 000004
【図４】
0005154210.tif 000005
【図５】
0005154210.tif 000006
【図６】
0005154210.tif 000007
【図７】
0005154210.tif 000008
【図８】
0005154210.tif 000009
【図９】
0005154210.tif 000010
【図１０】
0005154210.tif 000011
【図１１】
0005154210.tif 000012
【図１２】
0005154210.tif 000013
【図１３】
0005154210.tif 000014
【図１４】
0005154210.tif 000015
【図１５】
0005154210.tif 000016
【図１６】
0005154210.tif 000017